(57)【要約】【課題】  日常身の回りにある画鋲は抜け落ちる危険があり、一旦落ちると転がりやすい形状なので見つけにくかった。また壁によっては、刺し込むのに力が要って子供やお年寄りには使いにくい面もあった。本発明では小さな力で刺し込む事ができてしかも抜け落ちにくい画鋲を提供する。【解決手段】  画鋲の針を円弧または円弧に近似の形状にする。円弧の中心と画鋲の回転中心を一致させて画鋲全体を回転させつつ刺し込む。てこの原理が働いて刺し込みに要る力も従来の半分以下に出来る。【選択図】  図１
2005022394.tif 000002
【特許請求の範囲】
【請求項１】
針（１）が円弧状あるいは円弧に近似の形状である事を特徴とする画鋲。
【請求項２】
請求項１に記載の画鋲であって針（１）の為す円弧の中心（３）が頭部（２）の端（５）あるいは頭部を屈曲させた角（６）に位置することを特徴とする画鋲。
【発明の詳細な説明】
【発明の詳細な説明】
【技術分野】
【０００１】  この発明は画鋲に関するものである。
【背景技術】
【０００２】  従来より様々な画鋲が販売されている。掲示用の他、畳針なども同様でこれらの針（１）部分はいずれもまっすぐで壁やコルクボード、畳などに垂直に刺し込んで使用するものであった。２本針を持つ物も過去にいくつも出願されている。
【発明が解決しようとする課題】
【０００３】  従来のものは、針（１）が直線状であったため、使用中に振動が加わったり何度も同じ位置に針（１）を刺したりすると抜け落ちてしまうことも多かった。又、同じ理由から天井や下向きの斜めの壁などに使用することは出来なかった。
また、画鋲を刺し込む壁によっては子供やお年寄りには無理な力が必要であった。本発明では、刺し込みが楽でしかも抜け落ちにくい画鋲を提供する。
【課題を解決するための手段】
【０００４】  針（１）を円弧状に形成する事によりこれを解決する。
【発明を実施するための最良の形態】
【０００５】  画鋲の針（１）は刺し込む時に先端部が通った軌跡に沿って後方の部分も中に入っていく。従って無理なく使用されるためには針（１）が円弧状か直線状である必要がある。本発明では抜けにくくするために円弧状にする。針（１）は従来と同様に頭部（１）に対して垂直な平面に含まれる。刺し込む時も抜く時も共に円弧の中心（３）の周りに画鋲全体を回転させる必要がある。その為に頭部（２）の形状に工夫を加えて回転の向きを明確化する。【０００６】  円弧（４）の中心（３）は、頭部（２）裏面の端（５）あるいは角（６）に位置させると中心（３）のぶれが生じにくく回転が容易である。中心（３）を頭部の内側に置くと画鋲を刺す際にうまく回転させることが出来ない。従って中心（３）は必ず頭部（２）外周上か角（６）あるいは頭部外に置くことになる。【０００７】  実施例１は頭部（２）に設けた押さえ部（７）に向かって頭部裏面が屈曲する角（６）に円弧の中心（３）を置いた例である。角（６）から先の押さえ部（７）は回転時の助けになる。押さえ部（７）を指で軽く押さえながら頭部（２）の力点（１１）側を回転させて針（１）を壁に刺し込んでいく。頭部（２）の押さえ部（７）の反対端の裏面に隅切り（９）を施した。画鋲を抜き去る際にはこの隅切り（９）が役立つ。【０００８】  この例では針（１）の円弧（４）は中心角（１０）が４２°程度である。中心角（１０）は９０°までの間で自由に選ぶことが出来る。中心角（１０）が大きいほど回転量も増えるので使うときに力が必要になる一方、一旦壁に固定すると抜け落ちの危険が少ないという利点がある。用途によって中心角（１０）を加減すると良い。２０°〜７０°程度が実用の範囲と思われるが、３０°〜６０°にすると用途範囲が広くなる。【０００９】  押さえ部（７）の曲げ角度（１３）は中心角以上でなければならない。出来れば中心角（１０）と同じが良い。そうすれば押さえ部（７）の裏面の延長上に針先が有るため使用時にまず押さえ部（７）及び針先を壁にぴったりと付け、それから角（６）を中心に回転させる事が出来る。【００１０】  押さえ部（７）は頭部の他の部分よりも出っ張っている。その為、画鋲が使用されている時になにかの拍子に引っかかる事もあり得るが、これが引っ張られたとしても針（１）をより刺し込む方向に回転させる力が生じるだけである。また仮に押さえ部を押さえつける力が働いたとしても、押さえ部（７）力が加わった点と中心（３）との距離が小さい為、てこの原理により簡単に抜け落ちにはつながらない。【００１１】  画鋲を抜き去る際には、押さえ部（７）を軽く固定しつつ、隅切り（９）部分の頭部（２）を引き上げて手前に倒すように抜く。実際には親指で押さえ部（７）を固定して人刺し指で引き上げる事になろう。【００１２】  実施例２は円弧（４）の中心（３）を頭部（２）の端（５）においた例である。図２（ａ）では壁に刺し込まれている状態を示した。抜き刺しの際には端（５）を中心に回転させる。この例では円弧（４）の中心角（１０）が６０°でありしっかりと固定される。又、ここでは隅切り（９）ではなく摘み（１２）を設けた。図２（ｂ）は壁への抜き刺しの途中経過の状態を示している。【００１３】  実施例３���中心角（１０）を９０°にした例である。斜め下向き壁に対して刺しこむ直前の様子を図３（ａ）に示した。図３（ｂ）は使用中の状態を示す。中心角が９０°なので固定も堅牢でこのような壁でも簡単には抜け落ちない。ただし刺し込む際に破損しやすいので針（１）の材質は特に丈夫でなくてはいけない。【００１４】  実施例４は円弧（４）の中心（３）が頭部（２）内に位置しない例である。図４では中心の位置を分かりやすくするため、針（１）の取り付け位置（１４）の位置からの点線によって頭部（３）裏面と同一面上にある事を示した。また円弧（４）も点線で示した。この例も他の例と同じく回転の中心は円弧の中心（３）と一致しなくてはならないが、回転途中で中心（３）がぶれやすいという欠点がある。カーブが緩いので針（１）の長さの割に回転は少ない。【００１５】  針の取り付け位置（１４）から円弧の中心（３）までの距離をＸ（１５）、隅切り（９）あるいは摘み（１２）など力点（１１）までの距離をＹ（１６）とすると（図１）、全ての実施例において距離Ｘ（１５）よりも距離Ｙ（１６）を大きくした。これはてこの原理を使ってより小さな力で画鋲の抜き刺しが出来るための工夫である。Ｘ：Ｙ＝２：３程度が一般的かと思われるが、距離Ｙ（１６）をもっと大きくすると更に小さな力で済む。またＸ＝Ｙであっても従来の画鋲の２分の１の力で済むのであるから、それでも良い。【００１６】  また頭部（２）の形はここでは上から見ると長方形様の形であるが、円形、楕円形、菱形の他、様々な形を用いることが出来る。いずれにしても回転させる向きが分かりやすいことは必須である。頭部（２）を従来の３倍〜５倍にして摘み（１２）や押さえ部（７）も大きくすると指先が不自由なお年寄りや力のない子供にも使いやすいユニバーサルデザインとなる。掌で扱う感覚の画鋲も作れる。【００１７】  どの例でも抜き去る時のことを考慮してつまみ（１２）や隅切り（９）を作ってある。こうすることで抜き去る際の回転方向も明確になる。【００１８】  尚、本発明における画鋲とは一般の文具としても画鋲のみならず畳針のようなインテリア用の画鋲など、針（１）と頭部（２）を持ち、頭部（２）を指あるいは手で押して用いる類似の形状の物全てを含むものとする。また材質は金属、樹脂など使用に耐える物なら何でも良い。
【発明の効果】
【００１９】１．止めてある画鋲が抜け落ちてケガする危険が少ない。
２．抜け落ちが少ないので何度も止め直すと言う手間も省ける。
３．もし画鋲が落ちても形が不均衡なので遠くまで転がり難い為、すぐに見つけることが出来る。
４．てこの原理を働かせることが出来るので従来の半分以下の小さな力で画鋲をとめる事が出来る。
５．その為、子供やお年寄りにも使いやすい。
６．力の要らない画鋲、しっかり止まる画鋲など、用途に合わせて、針の取り付け位置（１４）や中心角（３）の大きさの変更だけで仕様を簡単に変えることが出来る。
７．狭い掲示板などの同じ位置に何度も針（１）を刺しても針先の向きを変えることによって抜け落ちにくく出来る。
【図面の簡単な説明】
【図１】（ａ）  実施例１の断面図  （ｂ）  実施例１押さえ部（７）部分断面図  （ｃ）  実施例１
【図２】（ａ）  実施例２使用状態の断面図  （ｂ）  実施例２抜き刺し途中状態の断面図
【図３】（ａ）  斜め下向壁に実施例３を刺し込む直前の状態を示す断面図  （ｂ）  斜め下向壁に実施例３を刺し込んだ状態を示す断面図
【図４】円弧の中心が頭部（３）外に位置する実施例４の斜視図  図中の円弧の中心（３）を示す黒丸点は実際に大きさを持つものではない。位置のみを示している。
【符号の説明】
１．針
２．頭部
３．円弧の中心
４．円弧
５．端
６．角
７．押さえ部
８．壁
９．隅切り
１０．中心角
１１．力点
１２．摘み
１３．押さえ部曲げ角度
１４．針の取り付け位置
１５．距離Ｘ
１６．距離Ｙ
【図１】
2005022394.tif 000003
【図２】
2005022394.tif 000004
【図３】
2005022394.tif 000005
【図４】
2005022394.tif 000006